(57)【要約】【課題】分岐電路に接続されている電気機器の運転状態又は停止状態を容易に確認できる電力監視システムを提供する。【解決手段】エネルギマネージメントユニット２の制御部２ｃは、各分岐ブレーカＢｍｎ（ｍ，ｎ＝１，２，…、以下同じ）に接続している電気機器Ｘｍｎの停止状態で、分岐電流検出部ＣＴｍｎと演算部２ｂとで計測された電気使用量の計測値を停止時電気使用量に設定する停止時電気量設定部２ｄと、分岐ブレーカＢｍｎ毎の電気使用量の計測値と停止時電気使用量との差に基づいて対応する電気機器Ｘｍｎの運転・停止状態を判定する運転・停止判定部２ｅとを備える。パソコンＰＣ、表示制御装置ＣＶや携帯端末ＰＴなどの端末装置は、運転・停止状態の判定結果を制御部２ｃから取得し、各分岐ブレーカＢｍｎに接続されている電気機器Ｘｍｎの運転・停止状態を、各電気機器Ｘｍｎに対応して予め設定されたアイコンを用いて表示画面に表示する。【選択図】図１
2008175783.tif 000002
【特許請求の範囲】
【請求項１】
主幹ブレーカと、主幹ブレーカの二次側から分岐して電気機器に電力を供給する分岐電路に各々設けられた複数の分岐ブレーカと、各分岐ブレーカを介して供給される電気使用量を分岐ブレーカ毎に計測する使用電力量計測部と、使用電力量計測部により計測された分岐ブレーカ毎の電気使用量に基づいて情報を生成する制御部と、制御部との間で情報を授受する端末装置とを備え、
制御部は、各分岐ブレーカに接続している電気機器の停止状態で使用電力量計測部により計測された電気使用量の計測値を当該分岐ブレーカの停止時電気使用量に設定する停止時電気量設定手段と、分岐ブレーカ毎の電気使用量の計測値と停止時電気使用量との差に基づいて当該分岐ブレーカに接続されている電気機器の運転・停止状態を判定する運転・停止判定手段とを有し、
端末装置は、運転・停止判定手段の判定結果を制御部から取得し、各分岐ブレーカに接続されている電気機器の運転・停止状態を、各分岐ブレーカに接続される電気機器に対応して予め設定されたアイコンを用いて表示画面に表示することを特徴とする電力監視システム。
【請求項２】
前記端末装置に、不特定の電気機器が接続可能な分岐ブレーカに接続されている電気機器として、ユーザの登録操作に応じて各分岐ブレーカに接続される可能性のある電気機器を登録する機器登録手段を設け、運転・停止判定手段の判定結果を制御部から取得すると、機器登録手段により登録された電気機器の運転・停止状態を予め設定されたアイコンを用いて表示画面に表示することを特徴とする請求項１記載の電力監視システム。
【請求項３】
前記端末装置は、表示画面の画面上に選択ボタンとして前記アイコンを表示するタッチパネルと、アイコンのタッチ操作が行われると操作されたアイコンに対応する電気機器の情報を要求する情報要求信号を制御部に出力する情報要求手段とを備え、情報要求信号に応じて制御部から電気機器の情報が返送されると、取得した電気機器の情報を表示する画面に切り換えることを特徴とする請求項１又は２記載の電力監視システム。
【請求項４】
前記端末装置は、表示画面の画面上に選択ボタンとして前記アイコンを表示するタッチパネルを備え、アイコンのタッチ操作が行われると、操作されたアイコンに対応する電気機器を制御する制御指令を入力するための制御指令入力画面を表示画面に表示させることを特徴とする請求項１又は２記載の電力監視システム。
【請求項５】
前記端末装置は、表示画面の画面上に各電気機器に対応して複数の選択ボタンが表示されたタッチパネルを備え、選択ボタンのタッチ操作が行われると、操作された選択ボタンに対応する電気機器の運転・停止状態を反転させる制御指令を制御部に送信し、前記制御部は、端末装置からの制御信号を受信すると、対応する電気機器の運転・停止状態を反転させることを特徴とする請求項１又は２記載の電力監視システム。
【請求項６】
前記端末装置は、各分岐ブレーカを複数のグループにグループ化するグループ設定手段を備え、各々のグループ毎に、各グループに属する分岐ブレーカに接続される電気機器の運転・停止状態をアイコンを用いて表示画面に表示することを特徴とする請求項１乃至５の何れか１項に記載の電力監視システム。
【発明の詳細な説明】
【技術分野】
【０００１】
本発明は、電力監視システムに関するものである。
【背景技術】
【０００２】
従来、各家庭等で消費される商用電源の電力量は、電力供給会社から送付される請求書で確認したり、電力供給会社が作成したウェブコンテンツで確認できる。
【０００３】
一方、家庭の分電盤内で主幹電力量を計測し、その計測結果をウェブ画面上でモニタリングできるシステムがあり、さらにこのシステムでは、他の家庭の消費電力量と比較することもできる（例えば、特許文献１参照）。
【特許文献１】特許第３５５１３０２号公報
【発明の開示】
【発明が解決しようとする課題】
【０００４】
通常、宅内では、分電盤内の分岐ブレーカを介して主幹電路を複数の分岐電路に分岐させて、各分岐電路には様々な電気機器が接続されている。例えば、１つの部屋内に設置した複数の電気機器（複数の照明器具）に１つの分岐電路を割り当てたり、最近では、１台の電気機器（例えば空調機器（エアコン）、床暖房器具、ＩＨ機器等）に１つの分岐電路を割り当てている。
【０００５】
しかしながら、上記特許文献１のシステムでは、各家庭内の消費電力量を一括してモニタしているが、上記分岐電路毎の消費電力量までは把握しておらず、分岐電路毎の消費電力量に基づいて各分岐電路に接続される電気機器の電源オン・オフ状態を監視することはできなかった。例えば、就寝前には使用する必要がない電気機器の電源を切断するが、電源を消し忘れた電気機器の有無を容易に確認することはできなかった。また外出先から宅内の電気機器の電源を消したことを確認するのは容易ではなかった。
【０００６】
本発明は上記問題点に鑑みて為されたものであり、その目的とするところは、分岐電路に接続されている電気機器の運転状態又は停止状態を容易に確認できる電力監視システムを提供することにある。
【課題を解決するための手段】
【０００７】
上記目的を達成するために、請求項１の発明は、主幹ブレーカと、主幹ブレーカの二次側から分岐して電気機器に電力を供給する分岐電路に各々設けられた複数の分岐ブレーカと、各分岐ブレーカを介して供給される電気使用量を分岐ブレーカ毎に計測する使用電力量計測部と、使用電力量計測部により計測された分岐ブレーカ毎の電気使用量に基づいて情報を生成する制御部と、制御部との間で情報を授受する端末装置とを備え、制御部は、各分岐ブレーカに接続している電気機器の停止状態で使用電力量計測部により計測された電気使用量の計測値を当該分岐ブレーカの停止時電気使用量に設定する停止時電気量設定手段と、分岐ブレーカ毎の電気使用量の計測値と停止時電気使用量との差に基づいて当該分岐ブレーカに接続されている電気機器の運転・停止状態を判定する運転・停止判定手段とを有し、端末装置は、運転・停止判定手段の判定結果を制御部から取得し、各分岐ブレーカに接続されている電気機器の運転・停止状態を、各分岐ブレーカに接続される電気機器に対応して予め設定されたアイコンを用いて表示画面に表示することを特徴とする。
【０００８】
請求項２の発明は、請求項１の発明において、端末装置に、不特定の電気機器が接続可能な分岐ブレーカに接続されている電気機器として、ユーザの登録操作に応じて各分岐ブレーカに接続される可能性のある電気機器を登録する機器登録手段を設け、運転・停止判定手段の判定結果を制御部から取得すると、機器登録手段により登録された電気機器の運転・停止状態を予め設定されたアイコンを用いて表示画面に表示することを特徴とする。
【０００９】
請求項３の発明は、請求項１又は２の発明において、端末装置は、表示画面の画面上に選択ボタンとしてアイコンを表示するタッチパネルと、アイコンのタッチ操作が行われると操作されたアイコンに対応する電気機器の情報を要求する情報要求信号を制御部に出力する情報要求手段とを備え、情報要求信号に応じて制御部から電気機器の情報が返送されると、取得した電気機器の情報を表示する画面に切り換えることを特徴とする。
【００１０】
請求項４の発明は、請求項１又は２の発明において、端末装置は、表示画面の画面上に選択ボタンとしてアイコンを表示するタッチパネルを備え、アイコンのタッチ操作が行われると、操作されたアイコンに対応する電気機器を制御する制御指令を入力するための制御指令入力画面を表示画面に表示させることを特徴とする。
【００１１】
請求項５の発明は、請求項１又は２の発明において、端末装置は、表示画面の画面上に各電気機器に対応して複数の選択ボタンが表示されたタッチパネルを備え、選択ボタンのタッチ操作が行われると、操作された選択ボタンに対応する電気機器の運転・停止状態を反転させる制御指令を制御部に送信し、制御部は、端末装置からの制御信号を受信すると、対応する電気機器の運転・停止状態を反転させることを特徴とする。
【００１２】
請求項６の発明は、請求項１乃至５の何れか１つの発明において、端末装置は、各分岐ブレーカを複数のグループにグループ化するグループ設定手段を備え、各々のグループ毎に、各グループに属する分岐ブレーカに接続される電気機器の運転・停止状態をアイコンを用いて表示画面に表示することを特徴とする。
【発明の効果】
【００１３】
請求項１の発明によれば、端末装置が、運転・停止判定手段の判定結果をもとに、各分岐ブレーカに接続されている電気機器の運転・停止状態を、各分岐ブレーカに対応して設定されたアイコンを用いて表示画面に表示しているので、各分岐ブレーカに接続されている電気機器が運転状態か停止状態かをアイコンの表示により視覚的に容易に把握できるという効果がある。
【００１４】
また、例えば空調機器など特定の電気機器が接続される分岐電路に設けた分岐ブレーカと異なり、部屋のコンセントに接続される分岐ブレーカの場合、どのような電気機器が接続されるか不明であるが、請求項２の発明によれば、機器登録手段により分岐ブレーカに接続される可能性がある電気機器を登録することができ、端末装置では、機器登録手段により登録された電気機器が分岐ブレーカに接続されているものとして、この電気機器が運転状態にあるか停止状態にあるかをアイコンで表示することができる。したがって、ユーザは、不特定の電気機器が接続される分岐ブレーカに接続されている電気機器の運転状態または停止状態をアイコンの表示により視覚的に容易に把握できるという効果がある。
【００１５】
請求項３の発明によれば、ユーザが端末装置の表示画面に表示されたアイコンをタッチ操作すると、このアイコンに対応した電気機器の情報が表示画面に表示されるので、運転・停止状態以外の情報を取得することができる。しかも、端末装置では、制御部から電気機器の情報が返送されると、取得した電気機器の情報を表示する画面に切り換えているので、運転・停止状態を表示する画面に電気機器の他の情報も表示する場合に比べて、表示画面を小さくできるという効果がある。
【００１６】
請求項４の発明によれば、電気機器の運転状態又は停止状態をアイコンで表示する画面から、ユーザが所望の電気機器に対応するアイコンをタッチ操作すると、このアイコンに対応する電気機器を制御する制御指令を入力する制御指令入力画面に表示画面が切り換えられるので、制御指令入力画面において制御指令を入力することで所望の電気機器を制御することが可能になる。
【００１７】
請求項５の発明によれば、ユーザが端末装置の表示画面に表示された選択ボタンをタッチ操作すると、この選択ボタンに対応した電気機器の運転・停止状態を反転させることができる。
【００１８】
請求項６の発明によれば、グループ設定手段によりグループ化された各々のグループ毎に、各グループに属する分岐ブレーカに対応したアイコンを表示画面に表示しているので、関連のある分岐ブレーカに対応したアイコンを１つのグループとして纏めて表示することで、電気機器の運転・停止状態の把握を容易に行うことができるという効果がある。
【発明を実施するための最良の形態】
【００１９】
以下に本発明の実施の形態を図面に基づいて説明する。
【００２０】
本実施形態の電力監視システムは、図２に示すように、宅内に設置された統合管理盤１と、商用電源を供給する電路Ｌｐおよび情報伝送路Ｌｊ（エンハンスト・カテゴリ５若しくはカテゴリ６のＬＡＮケーブル）を介して統合管理盤１に接続されて、統合管理盤１が電力供給、制御並びに監視を行う照明器具、空調機器（エアコン）、床暖房器具、ＩＨ機器等の宅内に設置された複数の電気機器Ｘｍｎ（添え字のｍ，ｎは１以上の整数を示す（ｍ，ｎ＝１，２，…）、以下同様）と、統合管理盤１にＬＡＮケーブルＬｉを介して接続される複数（図示例では、２つ）の端末装置（パーソナル・コンピュータＰＣ並びに表示制御装置ＣＶ等のウェブプラウザ機能を有する端末装置）とを備え、統合管理盤１と端末装置とが汎用の通信プロトコル（ＴＣＰ／ＩＰ、ＵＤＰ、ＨＴＴＰなど）を利用した宅内ネットワークを構成している。
【００２１】
この宅内ネットワークは、100BASE-TX（IEEE 802.3u）規格に準拠したローカルエリアネットワーク（ＬＡＮ）であって、統合管理盤１内においてレイヤ２スイッチやレイヤ３スイッチに相当する後述の統合装置ＴＭに、ネットワーク端末に相当する端末装置（パーソナルコンピュータＰＣ並びに表示制御装置ＣＶ）などがスター配線で接続されている。また、統合装置ＴＭは、インターネットに接続するための回線の種類（電話回線、ＣＡＴＶ回線、光ファイバ回線など）に応じたインターネット接続機能を有しており、宅内ネットワークが外部ネットワークたるインターネットに接続される。なお、表示制御装置ＣＶとしては、ウェブブラウザ機能を有するネットテレビ等であればよい。
【００２２】
そして、宅内ネットワークには住宅から離れた遠隔地に設置されたセンタ装置（センタサーバ）ＳＶがインターネットを通じて接続されており、後述するようにインターネットに接続可能なノート型のパーソナルコンピュータ、携帯電話機、ＰＤＡ（Personal Digital Assistance）等からなるウェブブラウザ機能を有する携帯型の端末装置（携帯端末ＰＴ）とセンタ装置ＳＶとの間でインターネットを介したデータ通信を行うことにより、例えば、携帯端末ＰＴを使って外出先から宅内電気機器の制御や監視を行うことができる。
【００２３】
センタ装置ＳＶは、ネットワーク機能を有する汎用のコンピュータ装置で構成されており、携帯端末ＰＴからインターネットを通じて送信される統合管理盤１宛てのメッセージや統合管理盤１から宅内ネットワークに属さない端末装置（図示せず）に宛てて送信されるメッセージを中継する機能を有している。但し、上述のようなインターネット接続機能を有する携帯端末ＰＴやセンタ装置ＳＶは従来周知であるから、詳細な構成についての図示並びに説明は省略する。
【００２４】
統合管理盤１は、図１に示すように、外部から住宅に供給される商用電源を一次側に受ける主幹ブレーカＢｓと、主幹ブレーカＢｓの二次側から分岐した電路に介挿される複数の分岐ブレーカＢｍｎ（ｍ＝１，２，…、ｎ＝１，２，…）と、エネルギマネージメントユニット２と、統合装置ＴＭと、電気機器コントローラＣｌとを備える。そして、分岐ブレーカＢｍｎを介して分岐された各電路Ｌｐｍｎ（ｍ＝１，２，…、ｎ＝１，２，…）は統合管理盤１外に導出され、各電路Ｌｐｍｎに接続される電気機器Ｘｍｎ（ｍ＝１，２，…、ｎ＝１，２，…）に対して動作電源を供給している。
【００２５】
エネルギマネージメントユニット２は、主幹ブレーカＢｓに流れる主幹電流の値を定期的に計測する主幹電流検出部ＣＴｓと、主幹電流の計測値を電力量に変換することで主幹ブレーカＢｓを介して供給されている主幹電力量を演算する電力演算部２ａと、各分岐ブレーカＢｍｎを流れる分岐電流の値を分岐ブレーカ毎に定期的に検出する分岐電流検出部ＣＴｍｎ（ｍ＝１，２，…、ｎ＝１，２，…）と、電力演算部２ａで演算した主幹電力量、および各分岐電流検出部ＣＴｍｎで計測した分岐電流が入力され、各分岐電流に基づいて各分岐ブレーカＢｍｎを介して供給されている分岐電力量を演算する演算部２ｂと、演算部２ｂから入力された主幹電力量および分岐電力量に基づいて、主幹電力量を表す画像データ、および各分岐電力量を表す画像データを生成する制御部２ｃとを備える。なお、上述の主幹電流検出部ＣＴｓと電力演算部２ａとで主幹電力量を計測する使用電力量計測部を構成し、分岐電流検出部ＣＴｍｎと演算部２ｂとで分岐電力量を計測する使用電力量計測部を構成している。
【００２６】
上記制御部２ｃは、電力量検知を行う分岐ブレーカＢｍｎのデータ（分岐ブレーカの名称：分岐１、分岐２、．．．や、各分岐電路に接続される電気機器の名称など）を予め格納しており、各分岐電路に接続される電気機器のオン・オフ状態を表示するためのウェブコンテンツ（ウェブページ）や、主幹電力量および分岐電力量を表示するための画像データとしてウェブコンテンツ（ウェブページ）を作成し、端末装置からの要求に応じて所望のウェブコンテンツを端末装置に提供（配信）する機能（ウェブサーバ機能）を有しており、ＬＡＮケーブルを介して統合管理盤１内の統合装置ＴＭ、電気機器コントローラＣｌ等が接続されている。ここにおいて、制御部２ｃには分岐ブレーカＢｍｎのデータとして、分岐ブレーカＢｍｎに接続される電気機器の名称が格納されており、空調機器（エアコン）や床暖房設備などの単独回路のために個別に設けた分岐ブレーカの場合には対応する機器の名称が格納される。また、単独回路ではなく不特定の電気機器が接続される可能性のある分岐ブレーカの場合には、各分岐ブレーカに接続される可能性がある電気機器の名称（例えば照明器具、テレビ、給湯器等）が格納されており、ユーザが各分岐ブレーカに接続する可能性が高い電気機器（例えばホットカーペットやアイロンなど）の名称を設定しておくのが好ましい。
【００２７】
そして、宅内にはリビング、寝室、子供部屋等の複数の部屋Ｒｎ（ｎ＝１，２，…）が設けられており、図１および図２において宅内は３つの部屋Ｒｌ，Ｒ２，Ｒ３を備えたものとして、部屋Ｒｌ内に設けた電気機器をＸｌｎ、部屋Ｒ２内に設けた電気機器をＸ２ｎ、部屋Ｒ３内に設けた電気機器をＸ３ｎと称する（ｎ＝１，２，…）。そして、統合管理盤１内の分岐ブレーカＢｌｎ（ｎ＝１，２，…）は、図３に示すように、電路Ｌｐｌｎ（ｎ＝１，２，…）を介して部屋Ｒｌ内の各電気機器Ｘｌｎに１：１の対応で個別に電力供給し、分岐ブレーカＢ３ｎ（ｎ＝１，２，…）は、電路Ｌｐ３ｎ（ｎ＝１，２，…）を介して部屋Ｒ３内の各電気機器Ｘ３ｎに１：１の対応で個別に電力供給しているのに対して、分岐ブレーカＢ２０は、電路Ｌｐ２０を介して部屋Ｒ２内の複数の電気機器Ｘ２ｎ（ｎ＝１，２，…）に１：ｎの対応で一括して電力を供給している。すなわち、分岐ブレーカＢｌｎ  Ｂ３ｎは、電気機器毎の電力供給を行い、分岐ブレーカＢ２０は、部屋毎の電力供給を行っている。
【００２８】
また、図１，図２において分岐ブレーカＢｌｎ，Ｂ３ｎの各分岐電流を検出する分岐電流検出部をＣＴ１ｎ，ＣＴ３ｎ、分岐ブレーカＢ２０の分岐電流を検出する分岐電流検出部をＣＴ２０と称す。
【００２９】
図４は、主幹ブレーカＢｓ、分岐ブレーカＢｍｎ、分岐電流検出部ＣＴｍｎ周辺の詳細な構成を示し、主幹ブレーカＢｓおよび主幹電路１１から分岐する分岐電路Ｌｐ（分岐路１２ａ，１２ｂからなる）に設けられる分岐ブレーカＢｍｎを備える統合管理盤１内に、各分岐電流を検出する複数のセンサＳｍｎ（ｍ＝１，２，…、ｎ＝１，２，…）と、各センサＳｍｎの検出出力に基づいて検出データを生成する複数のセンサユニットＡｍｎ（ｍ＝１，２，…、ｎ＝１，２，…）と、各センサユニットＡｍｎより分岐電流の検出データを収集し、収集した検出データを検出情報として出力する計測制御ユニットＫａと、計測制御ユニットＫａにセンサユニットＡｍｎを鎖状に接続する伝送路６とを備えるとともに、統合管理盤１の外部に露出して設けられて使用者に計測制御ユニットＫａから出力される検出情報の表示を行う表示ユニットＫｂを備えている。なお、センサＳｍｎとセンサユニットＡｍｎと計測制御ユニットＫａとで上述の分岐電流検出部ＣＴｍｎを構成している。
【００３０】
そして、複数のセンサユニットＡｍｎは、伝送路６によって鎖状（数珠繋ぎ）に接続され、計測制御ユニットＫａは、始端のセンサユニットＡｌｌにトリガ信号を出力するように構成され、各センサユニットＡｍｎは、トリガ信号を受信すると検出データを生成して計測制御ユニットＫａへ送信し、この後に末端側（次段）のセンサユニットにトリガ信号を出力するように構成されている。尚、分岐ブレーカＢｌｎ〜Ｂ２ｎ〜Ｂ３ｎおよびセンサＳ１ｎ〜Ｓ２ｎ〜Ｓ３ｎには、この順番にそれぞれ通し番号（Ｎｏｌ、Ｎｏ２、Ｎｏ３、．．．）が付されている。
【００３１】
そして、主幹ブレーカＢｓの一次側には低圧配電線１００が接続され、主幹ブレーカＢｓの二次側端子には主幹電路１１が接続され、上記分岐電路Ｌｐｍｎは、主幹電路１１の電圧極１１ａ，１１ｂの一方に一端が接続された分岐路１２ａと、主幹電路１１の中性極１１ｃに一端が接続された分岐路１２ｂとで構成される。
【００３２】
主幹ブレーカＢｓは、低圧配電線１００の電圧極１０１，１０２に接続される電源側端子（図示せず）及び中性極１０３に接続される電源側端子（図示せず）と、電圧極１０１，１０２に接続される電源側端子に各別に対応して電圧極となる２つの負荷側端子（図示せず）と、中性極１０３に接続される電源側端子に対応して中性極となる負荷側端子（図示せず）と、電源側端子と負荷側端子とが通電している際にはオン側に位置する操作ハンドルＨｌを備えている。そして主幹ブレーカＢｓは、電源側端子と負荷側端子との間に過電流が生じた際にはこれら端子間を遮断するとともに、操作ハンドルＨｌをオフ側に位置させるように構成されている。
【００３３】
分岐ブレーカＢｍｎは、分岐路１２ａ，１２ｂの他端側をそれぞれ接続可能な分岐路用端子部（図示せず）と、負荷側の電源線（図示せず）を電気的に接続するための電源線用端子部（図示せず）と、通常時はオン側に位置する操作ハンドルＨ２とを備えている。そして、分岐ブレーカＢｍｎは、分岐路用端子部と電源線用端子部との間に過電流が生じた際にこれら端子部間を遮断するとともに、操作ハンドルＨ２をオフ側に位置させるように構成されている。尚、主幹ブレーカＢｓおよび分岐ブレーカＢｍｎは、過電流だけではなく、短絡電流の発生に対しても回路を遮断するよう構成してもよい。
【００３４】
一方、主幹電路１１及び分岐路１２ａ，１２ｂは、いずれも導電性を有する金属板から形成されており、その幅、厚み等は、主幹ブレーカの最大定格電流に合わせた最大電流容量を有するように設定されている。
【００３５】
次に、センサＳｍｎと、センサユニットＡｍｎと、計測制御ユニットＫａと、表示ユニットＫｂと、伝送路６とについて説明する。ここで、センサＳｍｎと、センサユニットＡｍｎと、伝送路６とは、プリント基板７上に形成されて一体化されており、まずプリント基板７について説明する。
【００３６】
プリント基板７は、複数の絶縁板を積層してなる多層構造のもの（すなわち多層基板）であって、図５に示すように、プリント基板７を表裏に貫通する分岐路１２ｂ用の挿通孔７ａを複数備えている。またプリント基板７には、プリント基板７を表裏に貫通するスルーホール７ｂが、各挿通孔７ａの周辺部に挿通孔７ａを囲繞するように複数形成されている。さらに、プリント基板７には、各挿通孔７ａの周辺部に表面から中層（表面と裏面との間の層）まで貫通するスルーホール７ｃが複数形成されている。そして、このプリント基板７の表面には、センサＳｍｎおよびセンサユニットＡｍｎが実装されるとともに、伝送路６が形成されている。尚、センサユニットＡｍｎは、ディスクリート半導体等の必要な電子部品を個々にプリント基板に実装することで構成してもよいし、必要な電子部品をＩＣ化（集積化）したものであってもよい。またプリント基板７としては、上記のような多層基板に限らず、両面基板を用いてもよい。
【００３７】
センサＳｍｎは、各分岐ブレーカＢｍｎに対応する分岐路１２ｂの電流値、つまりは分岐ブレーカＢｍｎに流れる電流値を検出するための電流センサである。このようなセンサＳｍｎは、いずれも同様の構成を有するものであるから、センサＳ１１についてのみ詳細に説明する。
【００３８】
このセンサＳ１１は、図５に示すように、上記のプリント基板７に形成されたコイル線路２０からなるロゴスキコイルを有する電流センサであり、電流の微分形を検出出力として出力するものである。コイル線路２０は、プリント基板７において挿通孔７ａの周辺部のスルーホール７ｂを介してプリント基板７の表面に形成されたパターン２１ａ（図５に実線で示す）及びプリント基板７の裏面に形成されたパターン２１ｂ（図５に点線で示す）を接続してなるコイル部２１を有している。さらに、コイル部２１の末端は、スルーホール７ｃを介して戻し線路２２（図５に一点破線で示す）の一端側と接続されており、この戻し線路２２は、他端側がコイル部２１の末端側からコイル部２１内を通ってコイル部２１の始端側へ戻るようにプリント基板７の中層に形成されている。つまり、このセンサＳ１１では、コイル部２１の始端側と、戻し配線２２の他端側とが、それぞれ入力端子として用いられる。
【００３９】
次にセンサユニットＡｍｎは、センサＳｍｎの検出出力に基づいて検出データを生成するものであって、センサＳｍｎより取得した検出出力に基づいて電流値の実効値からなる検出データを生成し、動作開始用のトリガ信号を受信すると検出データを伝送用信号に変調して計測制御ユニットＫａへ送信する。さらに、検出データの送信後には、次のセンサユニットＡｍｎへトリガ信号を出力する。
【００４０】
計測制御ユニットＫａは、センサユニットＡｍｎが出力する伝送用信号を復調して検出データを取り出し、受信した検出データを順次演算部２ｂへ出力する機能と、センサユニットから検出データを収集するためのトリガ信号を始端のセンサユニットＡ１１へ出力する機能と、検出データに応じた表示用データを生成して表示ユニットＫｂへ出力する機能とを備える。
【００４１】
表示ユニットＫｂは、例えば各分岐ブレーカＢｍｎに対応した複数のＬＥＤを具備し、計測制御ユニットＫａから出力される表示用データに基づいて、分岐ブレーカＢｍｎの番号と、その分岐ブレーカＢｍｎに対応する電流値との表示をＬＥＤの消灯、点滅、点灯、あるいは色の変化等で行うようにされており、ＬＥＤを統合管理盤１外に露出させた状態で統合管理盤１内に設けている。
【００４２】
伝送路６は、図４に示すように、計測制御ユニットＫａにセンサユニットＡｍｎを、トリガ用伝送線６０とデータ用伝送線６１とグラウンド線６２との３線を用いて接続するものである。ここで、トリガ用伝送線６０は、計測制御ユニットＫａが出力するトリガ信号を始端のセンサユニットＡ１１に１対１で接続する接続線６０ａと、センサユニットから順次送信されるトリガ信号を末端側（次段）のセンサユニットに１対１で接続する送り用接続線６０ｂ〜６０ｐとからなり、計測制御ユニットＫａに、センサユニットＡｍｎを鎖状に接続するものである。またデータ用伝送線６１は、計測制御ユニットＫａに各センサユニットＡｍｎが出力する検出データを接続するものであり、グラウンド線６２は、計測制御ユニットＫａ及び各センサユニットＡｍｎ等においてトリガ用伝送線６０及びデータ用伝送線６１の電圧基準として用いられるものである。尚、グラウンド線６２については図面の簡略化のためにセンサユニットＡｍｎとの接続部分の図示は省略している。
【００４３】
このように、センサＳｍｎとしてプリント基板７に形成したコイル線路２０を用いれば、主幹ブレーカＢｓや、分岐ブレーカＢｍｎ、主幹電路１１、分岐電路１２ａ，１２ｂ等によって利用できるスペースが狭くなっている統合管理盤１の筐体内でも、センサＳｍｎを効率的に配置できる。また、センサＳｍｎが統合管理盤１の施工時に邪魔にならず、統合管理盤１の施工性を損なうこともない。さらに、このようなセンサＳｍｎは、空芯のものであるから、鉄芯（磁気コア）がないため小型化および軽量化を図ることができ、しかも鉄芯による飽和がないという利点があり、これによりダイナミックレンジが広く、大電流を検出できる電流センサを得ることが可能になる。
【００４４】
また、図６はセンサＳｍｎの別の構造を示しており、プリント基板７に形成されたトロイダルコイル３１を備える。トロイダルコイル３１は、巻き進み方向の巻き進みコイル３２（以下、進みコイルと言う）と、巻き戻し方向の巻き戻しコイル３３（以下、戻しコイルと言う）とを有し、それらが同じプリント基板７上に二重形成され、直列に連続接続されている。進みコイル３２および戻しコイル３３は、それぞれ、プリント基板７の表裏両面においてプリント基板７を表裏に貫通する分岐路１２ｂ用の挿通孔７ａから放射状に形成された放射状ライン３４と、この複数の放射状ライン３４間を接続する外周上に等間隔で表裏面に設けられた接続部３５と、表裏の放射状ライン３４と接続部３５とを電気的に連続接続するスルーホール３６とにより形成される。これらの放射状ライン３４および接続部３５は、図６において、プリント基板７の表面側に形成されたものを太い実線で、裏面側に形成されたものを白抜きの実線（二重線）でそれぞれ示している。
【００４５】
接続部３５は、表裏両面において、隣接する放射状ラインを避けるように引き回し形成される。また接続部３５は、進みコイル３２、戻しコイル３３において、接続部３５の表面側コイルと裏面側コイルをスルーホール３６ａによる繋ぎ部で接続するとともに、この繋ぎ部は、繋ぎ部を挟んで両コイルの表面側と裏面側とが略等分の長さになるように配設されている。
【００４６】
スルーホール３６は、挿通孔７ａの中心７ｄを略中心とする挿通孔７ａに遠い側および近い側の円周上にスルーホール３６ａ，３６ｂを等間隔に同数配設されるとともに、戻しコイル３３における表裏の放射状ライン３４及び接続部３５（３５ｂ）の各端部である境界部分には、表裏の放射状ライン３４および接続部３５（３５ｂ）間を接続するスルーホール３６ｃ，３６ｄが設けられている。このスルーホール３６ｃ，３６ｄは、スルーホール３６ａ，３６ｂを結ぶ直線に対して対称に配設されている。また、最外周上に存在するスルーホール３６ａ（半径ｒ１の円周上とする）と接続部３５を接続する円周上のスルーホール３６ｃ，３６ｄ（半径ｒ２の円周上とする）は、外部磁界に対して影響を抑えるため、半径ｒ１，Ｒ２の差はできるだけ小さいことが望ましく、この半径ｒ１とＲ２の差は、プリント基板の製造上の制約（ライン幅、スルーランド径）から、具体的には１ｍｍ以下としている。
【００４７】
放射状ライン３４は、挿通孔７ａの中心７ｄを略中心として放射状に一定ピッチでプリント基板７上に配列されている。放射状ライン３４および接続部３５を構成する導体部は、プリント基板７に銅箔で形成され、この銅箔は、例えばガラス入りエポキシ樹脂からなる両面プリント基板をエッチング加工することにより形成することができる。
【００４８】
接続部３５は、放射状ライン３４の外周側の端部（ここでは放射状ライン３４および接続部３５の境界部分となり、例えば戻しコイル３３ではスルーホール３６ｃまたは３６ｄを指し、進みコイル３２においては戻しコイル３３のスルーホール３６ｃまたは３６ｄに対応する進みコイル３２の放射状ライン３４上のラインとなる）から円周方向に延長形成され、複数の放射状ライン３４間を電気的に接続する。そして、スルーホール３６（３６ａ〜３６ｄ）を介して、プリント基板７の表裏両面に形成された複数の放射状ライン３４の端部および接続部３５と、反対側の面にある放射状ライン３４の端部および接続部３５とが電気的に直列に接続されることにより、プリント基板７を導体部で巻回するコイルが形成される。
【００４９】
進みコイル３２は、表側および裏側における放射状ライン３４および進みコイル３２の接続部３５ａを、接続部３５ａの中間位置に設けられたスルーホール３６ａを繋ぎ部として、スルーホール３６ａで電気的に接続することにより一巻きのコイルを形成する。同様に、戻しコイル３３は、表側および裏側における放射状ライン３４および戻しコイル３３の接続部３５ｂを互いにスルーホール３６（３６ａ，３６ｃ，３６ｄ）で電気的に接続することにより一巻きのコイルを形成する。そして、この進みコイル３２および戻しコイル３３の一巻きのコイルのピッチは、等しく形成されている。また接続部３５は、隣接する放射状ライン３４を避けるように引き回して形成され、両コイル３２，３３の接続部３５と放射状ライン３４によるコイルパターンは、プリント基板７の表裏で同一形状として形成されている。以上の構成により、トロイダルコイル３１のコイルを形成する導体部（導体膜）は、挿通孔７ａの中心７ｄの中心軸に関してほぼ対称に、かつ均一に形成されている。また、このセンサＳｍｎを用いた電流測定では、測定対象の電流が流れる被測定導体が挿通孔７ａに通され、この電流による磁界の磁束が両コイル３２，３３の断面領域を通ることにより発生する誘導電流を検出することになる。
【００５０】
図７は、統合管理盤１内における主幹ブレーカＢｓ、分岐ブレーカＢｍｎ、分岐電流検出部ＣＴｍｎ等の配置を示す一部分解斜視図であり、主幹ブレーカＢｓの横に電流センサブロックＳＢが配置され、電流センサブロックＳＢは、上記センサＳｍｎ、センサユニットＡｍｎ、伝送路６を形成したプリント基板７を、長尺状のブロック本体ＳＢ１の短手方向の両側に対向して取り付けて構成される。そして、複数の分岐ブレーカＢｍｎが、電流センサブロックＳＢの両側に長手方向に沿って並設されており、各分岐ブレーカＢｍｎは、その分岐路用端子部が各センサＳｍｎに対向するように配置されて、分岐ブレーカＢｍｎとセンサＳｍｎとの間の配線作業が容易に行えるようにしている。また、電流センサブロックＳＢの上方には、スペーサ４０を介して設けた矩形枠上のブラケット４１に表示ユニットＫｂを取り付けており、表示ユニットＫｂの各ＬＥＤが統合管理盤１外に露出して、各分岐電流の概略値を表示している。
【００５１】
次に図１における統合装置ＴＭは、ＬＡＮケーブルを介して、盤内の制御部２ｃや電気機器コントローラＣ１、盤外のパソコンＰＣ、表示制御装置ＣＶが接続されるとともに、インターネットを通じてセンタ装置ＳＶや、携帯電話機などの携帯端末ＰＴ、または他の端末装置に接続しており、パケット処理機能、経路切換機能、ネットワークセキュリティ機能、ＵＰｎＰ（ユニバーサル・プラグ・アンド・プレイ）のコントロールポイントの機能等を有して、ネットワークにおけるデータ授受をコントロールしている。
【００５２】
また上述の端末装置ＴＵは、図１１のブロック図に示すように統合装置ＴＭとの間でデータの授受を行う送受信部７１と、タッチスイッチ付きの液晶ディスプレイのようなタッチパネルからなる画像表示部７２と、送受信部７１および画像表示部７２などの全体の制御を行う制御部７３とを備えている。
【００５３】
また、図１における電気機器コントローラＣ１は、統合装置ＴＭと日本電機工業会（JEMA）の統一規格に適合した電気機器Ｘｍｎとのインタフェース機能を有し、統合装置ＴＭを介して端末装置ＴＵから制御要求のメッセージを受け取ったときに情報伝送路Ｌｊを介して各電気機器Ｘｍｎを個別に制御して運転（照明器具の場合は点灯）と停止（照明器具の場合は消灯）を切り換え、統合装置ＴＭを介して端末装置ＴＵから監視要求のメッセージを受け取ったときに情報伝送路Ｌｊを介して各電気機器Ｘｍｎの動作状態（運転［点灯］又は停止［消灯］）を個別に取得するとともに、制御要求や監視要求に対する応答（各電気機器Ｘｍｎの動作状態）のメッセージを要求メッセージの送信元である端末装置ＴＵに向けて統合装置ＴＭを介して送信させる機能（制御監視機能）を有する。また電気機器コントローラＣ１は、自己の配下にある電気機器Ｘｍｎの機器名称情報、部屋Ｒｎの名称情報等を予め格納しており、電気機器Ｘｍｎの名称並びに動作状態を文字や記号で表示するためのウェブコンテンツ（ウェブページ）を作成し、端末装置ＴＵからの要求に応じて当該ウェブコンテンツを端末装置ＴＵに提供（配信）する機能（ウェブサーバ機能）も有している。
【００５４】
上記のように構成された電力監視システムでは、宅内のパソコンＰＣや表示制御装置ＣＶ、またはインターネットに接続された携帯端末ＰＴ等の端末装置ＴＵにおいて、制御部７３が、送受信部７１からエネルギマネージメントユニット２へ電力リアルモニタ要求のメッセージを送信させ、エネルギマネージメントユニット２の制御部２ｃが統合装置ＴＭを介して電力リアルモニタ要求を受信すると、制御部２ｃが演算部２ｂから入力された主幹電力量および分岐ブレーカＢｍｎ毎の分岐電力量をもとに、主幹電力量および分岐ブレーカＢｍｎ毎の分岐電力量の現在値を表示するための電力リアルモニタ用画像データを生成し、生成した電力リアルモニタ用画像データを統合装置ＴＭを介して、電力リアルモニタ要求を送信してきた端末装置ＴＵに向けて送信する。
【００５５】
電力リアルモニタ用画像データを受信した端末装置ＴＵでは、制御部７３が、画像表示部７２の表示を制御して、電力リアルモニタ用画像データを画像表示部７２の表示画面に表示させるので、主幹電力量および分岐ブレーカＢｍｎ毎の分岐電力量の現在値をモニタできる。
【００５６】
また本実施形態では、パソコンＰＣ、表示制御装置ＣＶ、携帯端末ＰＴ等の端末装置ＴＵを用いて、個々の分岐ブレーカＢｍｎ毎に各分岐ブレーカＢｍｎに接続されている電気機器Ｘｍｎの情報（電気機器Ｘｍｎの種類や設置場所など）を登録することができ、以下、この情報登録機能について説明する。
【００５７】
まず、端末装置ＴＵにおいて画像表示部７２に図９（ｂ）に示すリモコン画面を表示させた状態で、設定画面を表示させるための選択ボタンＢ１７がタッチ操作されると、制御部７３が、画像表示部７２から入力された操作信号に基づいて、画像表示部７２の画面を設定画面（図示せず）に切り替え、例えば設定画面に表示させた設定ボタンをタッチ操作することによって、ユーザが分岐ブレーカＢｍｎの名称を指定した後に、この分岐ブレーカＢｍｎに接続される電気機器の種類（名称）およびその設置場所を入力する。
【００５８】
上記の設定画面で所望の電気機器の情報を入力すると、機器登録手段としての制御部７３が、画像表示部７２から取得した情報（電気機器の名称や設置場所の情報）を図示しないメモリに登録するとともに、送受信部７１からエネルギマネージメントユニット２に送信させ、統合装置ＴＭを介して上記の情報を受信した制御部２ｃは、受信した情報を図示しないメモリに各分岐ブレーカＢｍｎに対応させて格納する。
【００５９】
その後、制御部２ｃが、分岐ブレーカＢｍｎに接続された電気機器の運転・停止状態を表示する表示画面を作成する際には、各分岐ブレーカＢｍｎに対応する電気機器の種類および設置場所をメモリから読み出して画像データを生成しており、端末装置ＴＵで表示される表示画面は、図１０（ａ）（ｂ）に示すように、分岐ブレーカＢｍｎに接続される電気機器の種類および設置場所を示す文字Ｎ１〜Ｎ６と、各電気機器の運転・停止状態をアイコン（絵文字や記号など）で表示するピクトサインＰ１〜Ｐ６と、タッチ操作によって各電気機器の運転・停止状態を反転（運転→停止、又は、停止→運転）させる選択ボタンＢ２１〜Ｂ２６とを上下に並べた画面となる。ここにおいて、単独回路ではなく不特定の電気機器が接続される可能性のある分岐ブレーカＢｍｎの場合には、上述の登録処理により各分岐ブレーカＢｍｎに接続される可能性がある電気機器の情報（名称など）を登録しておけば、上記の登録処理により登録された電気機器が分岐ブレーカＢｍｎに接続されているものとして、この電気機器が運転状態にあるか停止状態にあるかをアイコン（ピクトサインＰ１〜Ｐ６）で表示することができ、ユーザは、不特定の電気機器が接続される分岐ブレーカＢｍｎに接続されている電気機器の運転状態または停止状態をアイコンの表示により視覚的に容易に把握できる。
【００６０】
図８（ａ）（ｂ）は端末装置ＴＵの画像表示部７２の表示画面７２ａに表示される初期メニュー画面を示している。端末装置ＴＵの画像表示部７２はタッチパネルからなり、画面の上側には画面の名称（例えば「メニュー（１／２）」「メニュー（２／２）」）を表示するタイトルバーＴＢ１，ＴＢ２が、画面中央には所望のメニューを選択するためのメニュー選択ボタン（図８（ａ）の画面では選択ボタンＢ１〜Ｂ４、図８（ｂ）の画面では選択ボタンＢ５、Ｂ６）が、画面の下側には前ページや次ページに遷移する前ページボタンＢ７および次ページボタンＢ８がそれぞれ表示されている。なお各々のメニュー選択ボタンＢ１〜Ｂ６には対応するメニューの内容を示す文字（「リモコン」「ワイヤレスリモコン」「エコモニタ」など）が表示されており、メニュー選択ボタンＢ１をタッチ操作すると、制御部７３が、タッチ操作入力に応じて画像表示部７２の表示画面を、各分岐ブレーカＢｍｎに接続された電気機器の運転・停止状態を表示したり、リモコン制御するためのリモコン画面（図９および図１０参照）に移行させる。また図８（ａ）の画面で次ページボタンＢ８をタッチ操作すると、制御部７３が画像表示部７２の表示画面を同図（ｂ）のメニュー画面に切り替え、さらに同図（ｂ）の画面で前ページボタンＢ７をタッチ操作すると、制御部７３が画像表示部７２の表示画面を同図（ａ）のメニュー画面に切り替えるようになっている。
【００６１】
また、図９（ａ）（ｂ）は端末装置ＴＵの画像表示部７２の表示画面７２ａに表示されるリモコン画面の一例を示し、図９（ａ）の画面では画面の名称（例えば「リモコン画面」）を示すタイトルバーＴＢ３の下側に、操作対象の電気機器の種類（例えば「照明」、「エアコン」、「床暖房」、「給湯器」）を選択するための選択ボタンＢ１１〜Ｂ１４が表示され、さらにその下側に前ページや次ページに遷移する前ページボタンＢ１８および次ページボタンＢ１９と、メニュー画面に戻るための戻りボタンＢ２０が表示されている。また図９（ａ）のリモコン画面において次ページボタンＢ１９をタッチ操作すると、制御部７３が画像表示部７２の表示画面７２ａを図９（ｂ）のリモコン画面に切り替えるようになっており、図９（ｂ）のリモコン画面では、タイトルバーＴＢ３の下側に、操作対象の電気機器の種類（「電気錠」又は「その他機器」）を選択するための選択ボタンＢ１５、Ｂ１６や設定画面を表示させるための選択ボタンＢ１７が表示されている。
【００６２】
そして、図９（ａ）（ｂ）のリモコン画面においてユーザが所望の電気機器に対応する選択ボタンＢ１１〜Ｂ１６をタッチ操作すると、制御部７３が、画像表示部７２から取得したタッチ操作信号に基づいて、タッチ操作された選択ボタンＢ１１〜Ｂ１６に対応する電気機器の運転・停止状態を表示したり、運転・停止状態を制御するための画面（図１０（ａ）（ｂ）参照）に画像表示部７２の表示画面７２ａを移行させる。なお、以下では照明器具に対応する選択ボタンＢ１１が押された場合について説明を行う。
【００６３】
図１０（ａ）（ｂ）は各分岐ブレーカに接続された電気機器の運転・停止状態を表示したり、運転・停止状態を制御するための画面を示しており、図１０（ａ）の画面では画面の名称（例えば「照明」）を示すタイトルバーＴＢ４の下側に、個別の分岐ブレーカに接続された３つの照明器具の名称（例えば「リビング照明」「子供部屋照明」「ダイニング照明」）を示す文字Ｎ１〜Ｎ３と、その運転・停止状態を示すピクトサインＰ１〜Ｐ３（アイコン）と、その運転・停止状態を反転させるための選択ボタンＢ２１〜Ｂ２３とが、各々の照明器具毎に上下に並べて配置されている。また画面の下側には、前ページや次ページに遷移する前ページボタンＢ２７および次ページボタンＢ２８と、一つ上の階層の画面（図９（ａ）の画面）に戻るための戻りボタンＢ２９が表示されている。また図１０（ａ）の画面において次ページボタンＢ２７をタッチ操作すると、制御部７３が画像表示部７２の表示画面７２ａを図１０（ｂ）の画面に切り替えるようになっており、図１０（ｂ）の画面では、タイトルバーＴＢ４の下側に、個別の分岐ブレーカに接続された３つの照明器具の名称（例えば「寝室照明」「台所照明」「玄関・廊下照明」）を示す文字Ｎ４〜Ｎ６と、その運転・停止状態をアイコンで示すピクトサインＰ４〜Ｐ６と、その運転・停止状態を反転させるための選択ボタンＢ２４〜Ｂ２６とが、各々の照明器具毎に上下に並べて配置されている。
【００６４】
上述のように図１０（ａ）（ｂ）の画面では、各分岐ブレーカＢｍｎ毎に分岐ブレーカＢｍｎに接続された電気機器Ｘｍｎ（本画面では例えば照明器具）の運転・停止状態をモニタできるようになっており、以下に運転・停止状態の表示機能について説明する。
【００６５】
電気機器Ｘｍｎには、照明器具等のように停止時には電力消費がゼロになるものだけでなく、テレビやエアコン等のように停止時でも待機電力が発生するものや、冷蔵庫などのように停止することなく常に動作しているものがある。したがって、電気機器Ｘｍｎが停止状態であっても、この電気機器Ｘｍｎが接続された分岐ブレーカＢｍｎに分岐電流が流れる場合があるので、分岐ブレーカＢｍｎ毎に当該分岐ブレーカに接続された電気機器の電源スイッチをオフにした停止状態での分岐電流（以後、停止時分岐電流と称す）を設定する。また、分岐ブレーカＢｍｎが部屋Ｒｎ内のコンセントに接続されている場合、コンセントには様々な電気機器が接続される可能性があるので、この分岐電路の停止時分岐電流は、電気機器の停止状態で消費される待機電流と、通常は停止することのない冷蔵庫のような電気機器の動作電流との合計値になる。
【００６６】
そこで、端末装置ＴＵにおいて、図示しない設定画面を操作することで、設定対象の分岐ブレーカＢｍｎの停止時分岐電流設定画像を表示させ、対象の分岐ブレーカＢｍｎに接続されている電気機器の電源スイッチをオフにした状態で（但し冷蔵庫等のように常に運転状態であるものは除く）、画面中に表示された設定ボタンをタッチ操作すると、端末装置ＴＵの制御部７３が、送受信部７１からエネルギマネージメントユニット２へ、設定対象である分岐ブレーカＢｍｎの停止時分岐電流を設定するための設定要求メッセージを送信させる。この時、エネルギマネージメントユニット２の制御部２ｃが統合装置ＴＭを介して停止時分岐電流の設定要求メッセージを受信すると、停止時電気量設定部２ｄが、設定対象の分岐ブレーカＢｍｎの分岐電流の検出値を演算部２ｂを介して取得し、その分岐電流検出値を当該分岐ブレーカＢｍｎの停止時分岐電流（停止時電気使用量）として設定する。この処理を全ての分岐ブレーカＢｍｎに対して行い、分岐ブレーカＢｍｎ毎に停止時分岐電流を設定する。
【００６７】
また停止時電気量設定部２ｄに停止時分岐電流が一旦設定されると、以後は以下に述べる処理を実行することで停止時分岐電流を更新するようになっている。停止時電気量設定部２ｄでは、設定対象の分岐ブレーカＢｍｎの分岐電流検出値と、現在の停止時分岐電流との高低を逐次比較し、分岐電流検出値が停止時分岐電流よりも小さければ、この時の分岐電流検出値を停止時分岐電流として設定し、分岐電流検出値が停止時分岐電流以上であれば、現在の停止時分岐電流のままとするので、停止時分岐電流を随時、適切な値に設定することができる。
【００６８】
そして、制御部２ｃの運転・停止判定部２ｅでは、個々の分岐ブレーカＢｍｎ毎に分岐電流の検出値を演算部２ｂを介して取得し、各分岐ブレーカＢｍｎの分岐電流検出値と、当該分岐ブレーカＢｍｎの停止時分岐電流とを比較し、分岐電流検出値から停止時分岐電流値を引いた差が一定値以上である場合に、当該分岐ブレーカＢｍｎに接続されている１乃至複数の電気機器Ｘｍｎが運転状態にあると判定し、分岐電流検出値から定常分岐電流値を引いた差が一定値より小さい場合に、当該分岐ブレーカに接続されている電気機器Ｘｍｎが停止状態にあると判定する。
【００６９】
ここで、端末装置ＴＵの制御部７３が、送受信部７１からエネルギマネージメントユニット２へ、各分岐ブレーカＢｍｎに接続されている電気機器の運転・停止状態のモニタ要求メッセージを送信すると、このモニタ要求メッセージをエネルギマネージメントユニット２の制御部２ｃが統合装置ＴＭを介して受信し、各分岐ブレーカＢｍｎに接続されている電気機器の情報と、運転・停止判定部２ｅの判定結果をもとに、個々の分岐ブレーカＢｍｎ毎に電気機器の名称や設置場所などを表示する文字Ｎ１…と、各電気機器の運転／停止状態を示すピクトサインＰ１…とを少なくとも表示する表示画面の画像データを作成し、統合装置ＴＭを介してモニタ要求を送信してきた端末装置ＴＵに向けて送信する。そして、モニタ要求を送信した端末装置ＴＵでは送受信部が画像データを受信し、制御部７３が、受信した画像データを画像表示部７２に表示させており、表示画面７２ａに表示された画像（図１０（ａ）（ｂ）参照）をもとに電気機器の運転・停止状態をモニタすることができるのである。
【００７０】
このように本実施形態では、端末装置ＴＵにおいて各分岐ブレーカＢｍｎに接続される電気機器の運転／停止状態をピクトサインＰ１〜Ｐ６で表示しているので、各分岐ブレーカＢｍｎに接続されている電気機器が運転中か停止中かを視覚的に容易に把握することができる。また、モニタ画面において、各電気機器に対応して表示された選択ボタンＢ２１〜Ｂ２６のタッチ操作を行うと、端末装置ＴＵの制御部７３が、操作された選択ボタンに対応する電気機器の運転・停止状態を反転させる制御指令を送受信部７１から統合装置ＴＭを介して制御部２ｃに送信させる。このとき制御部２ｃは、端末装置ＴＵからの制御信号を受信し、受信した制御信号に基づいて電気機器コントローラＣ１により対応する電気機器Ｘｍｎの運転・停止状態を反転（運転→停止、又は、停止→運転）させており、端末装置ＴＵに表示された選択ボタンＢ２１〜Ｂ２６のタッチ操作を行うだけで所望の電気機器Ｘｍｎの運転／停止を容易に切り替えることができる。
【００７１】
また本実施形態では、端末装置ＴＵにおいて各分岐ブレーカＢｍｎに接続された電気機器Ｘｍｎの運転・停止状態を表示する際に、グループ設定手段たる制御部７３が、各分岐ブレーカＢｍｎの登録情報をもとに、各分岐ブレーカＢｍｎに接続される電気機器Ｘｍｎをその種類（例えば照明器具やリモコンなど）に応じて複数のグループにグループ化しており、各グループに属する分岐ブレーカＢｍｎに接続されている電気機器Ｘｍｎの運転・停止状態をアイコンを用いて表示画面に表示させているので、複数の電気機器Ｘｍｎの動作状態をグループ毎に容易に把握することができる。なお上記の例では各分岐ブレーカＢｍｎを電気機器Ｘｍｎの種類に応じてグループ分けしているが、制御部７３は、各分岐ブレーカＢｍｎを、分岐ブレーカＢｍｎに接続される電気機器Ｘｍｎが設置されている建物の階毎にグループ化したり、電気機器Ｘｍｎが設置されている部屋毎にグループ化しても良い。
【００７２】
なお本実施形態では、端末装置ＴＵにおいて電気機器Ｘｍｎの運転・停止状態をモニタするモニタ画面に、当該電気機器Ｘｍｎの運転・停止状態を反転させる選択ボタンＢ２１〜Ｂ２６を表示させ、選択ボタンＢ２１〜Ｂ２６のタッチ操作に応じて対応する電気機器Ｘｍｎの運転／停止を切り替えるようになっているが、上記モニタ画面には電気機器Ｘｍｎの運転・停止状態を示すアイコンのみを表示させ、このアイコンがタッチ操作されると、制御部７３が画像表示部７２の表示画面７２ａを、選択されたアイコンに対応する電気機器を制御する制御指令を入力するための制御指令入力画面（図示せず）に切り替えるようにしても良く、制御指令入力画面において制御指令を入力することで所望の電気機器を制御することが可能になる。ここで、制御指令入力画面には対応する電気機器Ｘｍｎの動作を制御するための操作ボタンが表示されており、所望の操作に対応する操作ボタンをタッチ操作すると、制御部７３が、操作された操作ボタンに対応する制御指令を送受信部７１から制御部２ｃに送信させ、制御部２ｃがコントローラＣ１を介して対応する電気機器Ｘｍｎの動作を制御するようになっている。
【００７３】
また、各分岐ブレーカＢｍｎに接続されている電気機器Ｘｍｎの運転・停止状態を表示する表示画面（図１０（ａ）（ｂ）参照）において、電気機器Ｘｍｎの運転・停止状態を表示するアイコン（ピクトサインＰ１…）にタッチ操作すると、画像表示部７２から入力されるタッチ操作信号に基づいて情報要求手段たる制御部７３が、操作されたアイコンに対応する電気機器Ｘｍｎの情報（例えば電気使用量など）を要求する情報要求信号を送受信部７１からエネルギマネージメントユニット２へ送信させる。エネルギマネージメントユニット２の制御部２ｃは端末装置ＴＵからの情報要求信号を受信すると、対応する分岐ブレーカＢｍｎの電気使用量の情報を演算部２ｂから取得し、取得した情報を要求信号を送信してきた端末装置ＴＵに返送するようになっており、端末装置ＴＵの送受信部７１がエネルギマネージメントユニット２から返送されてきた情報を受信すると、制御部７３が画像表示部７２の表示画面を電気機器Ｘｍｎの情報を表示する画面に切り替え、電気機器Ｘｍｎの情報を表示させることで、ユーザに所望の電気機器Ｘｍｎに関する情報を提示することができる。
【図面の簡単な説明】
【００７４】
【図１】本実施形態の電力監視システムの各構成を示すブロック図である。
【図２】同上の構成を示すシステム図である。
【図３】同上の宅内における電気機器の配線図である。
【図４】同上の統合管理盤内における一部回路を示す構成図である。
【図５】同上のセンサを示す平面図である。
【図６】同上の別のセンサを示す平面図である。
【図７】同上の統合管理盤内を示す一部分解斜視図である。
【図８】（ａ）（ｂ）は同上の端末装置の表示画面の例図である。
【図９】（ａ）（ｂ）は同上の端末装置の表示画面の例図である。
【図１０】（ａ）（ｂ）は同上の端末装置の表示画面の例図である。
【図１１】同上の端末装置のブロック図である。
【符号の説明】
【００７５】
２    エネルギマネージメントユニット
２ｂ  演算部（使用電力量計測部）
２ｃ  制御部
２ｄ  停止時電気量設定部
２ｅ  運転・停止判定部
ＴＵ  端末装置
ＣＴｍｎ  分岐電流検出部（使用電力量計測部）
ＣＶ  表示制御装置
ＰＣ  パソコン
ＰＴ  携帯端末
Ｂｓ  主幹ブレーカ
Ｂｍｎ  分岐ブレーカ
Ｌｐｍｎ  電路（分岐電路）
Ｘｍｎ  電気機器
【図１】
2008175783.tif 000003
【図２】
2008175783.tif 000004
【図３】
2008175783.tif 000005
【図４】
2008175783.tif 000006
【図５】
2008175783.tif 000007
【図６】
2008175783.tif 000008
【図７】
2008175783.tif 000009
【図８】
2008175783.tif 000010
【図９】
2008175783.tif 000011
【図１０】
2008175783.tif 000012
【図１１】
2008175783.tif 000013